(57)【要約】【課題】被計量物が計量ホッパー内に投入される際、計量ホッパーの自己振動による振れを抑え、ロードセルの出力信号を短時間で安定させることが可能なホッパースケールを提供する。【解決手段】被計量物を貯留する貯留タンク３と、該貯留タンク３底部に設けて被計量物の払い出しを行う供給ゲート４と、固定部５に支持される排出用タンク６と、該排出用タンク６内に設けられ、前記供給ゲート４から払い出された被計量物を受ける計量ホッパー７と、該計量ホッパー７底部に設けられ、計量物の払い出しを行う排出ゲート８とを備えたホッパースケール１であって、前記排出用タンク６内には、前記計量ホッパー７がロードセル１０に載架されるとともに、前記排出用タンク６外側壁には、前記計量ホッパー７の側壁７ａ，７ｂを両側から挟持する計量ホッパー固定手段１１ａ，１１ｂを設けた。【選択図】  図１
2004271350.tif 000002
【特許請求の範囲】
【請求項１】
被計量物を貯留する貯留タンクと、該貯留タンク底部に設けて被計量物の払い出しを行う供給ゲートと、固定部に支持される排出用タンクと、該排出用タンク内に設けられ、前記供給ゲートから払い出された被計量物を受ける計量ホッパーと、該計量ホッパー底部に設けられ、計量物の払い出しを行う排出ゲートとを備えたホッパースケールであって、前記排出用タンク内には、前記計量ホッパーがロードセルに載架されるとともに、前記排出用タンク外側壁には、前記計量ホッパーの側壁を両側から挟持する計量ホッパー固定手段を設けたことを特徴とするホッパースケール。
【請求項２】
前記計量ホッパー固定手段は、エアシリンダのアクチュエータ先端に設けた緩衝用バネと、前記計量ホッパーの自己振動を防止する当て板とを備えてなる請求項１記載のホッパースケール。
【発明の詳細な説明】
【０００１】
【発明の属する技術分野】
本発明は、計量時間を短縮するとともに、複雑な信号処理が不要となるホッパースケールに関する。
【０００２】
【従来の技術】
従来、ホッパースケールの供給ゲートを開いて、被計量物を計量ホッパーに投入する際、計量ホッパーは、被計量物の落下衝撃により自己振動（縦・横方向の振動）を発生する。この振動は、計量精度に大きな影響を及ぼすため、精度を確保するために、計量ホッパーの振動によるロードセルの計測信号を移動平均化処理したり、計測までの安定時間を長くしたりしているので、計測時間短縮による能力アップは期待できなかった。
例えば、計量ホッパーの振れを抑えるものとして、計量ホッパーの支持構造に特徴を有するものがある（特許文献１参照）。
【０００３】
【特許文献１】
実公平３−２５１４９号公報
【０００４】
これを図３を参照して説明すると、計量ホッパー１００の側壁に板片１０１を固着するとともに、固定フレーム（図示せず）に取り付けられた環状枠１０２に、前記板片１０１に対して水平方向両側から振れ止め用のストッパー１０３，１０３を取り付けたものである。そして、被計量物を計量ホッパー１００に投入すると、計量ホッパー１００の振れが固定フレームに取り付けたストッパー１０３，１０３によって減衰させられ、ロードセルの出力信号が安定するまでに時間が短縮されるものである。
【０００５】
しかしながら、板片１０１とストッパー１０３，１０３との隙間が大きいと、計量ホッパー１００の振れが大きくなり、ロードセルの出力が安定するまでに時間がかかる問題点があり、また、これとは逆に板片１０１とストッパー１０３，１０３との間の隙間が小さいと、計量ホッパー１００内に被計量物が片寄って投入されたときに、計量ホッパー１００の傾きによって板片１０１がストッパー１０３，１０３に押し付けられてしまい、ロードセルの計量誤差を来たす要因になっていた。
【０００６】
【発明が解決しようとする課題】
本発明は上記問題点にかんがみ、被計量物が計量ホッパー内に投入される際、計量ホッパーの自己振動による振れを抑え、ロードセルの出力信号を短時間で安定させることが可能なホッパースケールを提供することを技術的課題とする。
【０００７】
【課題を解決するための手段】
上記課題を解決するため請求項１の発明は、被計量物を貯留する貯留タンクと、該貯留タンク底部に設けて被計量物の払い出しを行う供給ゲートと、固定部に支持される排出用タンクと、該排出用タンク内に設けられ、前記供給ゲートから払い出された被計量物を受ける計量ホッパーと、該計量ホッパー底部に設けられ、計量物の払い出しを行う排出ゲートとを備えたホッパースケールであって、前記排出用タンク内には、前記計量ホッパーがロードセルに載架されるとともに、前記排出用タンク外側壁には、前記計量ホッパーの側壁を両側から挟持する計量ホッパー固定手段を設ける、という技術的手段を講じた。
【０００８】
計量時には貯留タンクの供給ゲートを開いて計量ホッパーへ被計量物を順次供給していくのであるが、このとき、計量ホッパーが固定されており、被計量物の落下衝撃による計量ホッパーに生じる振動を抑えて、ロードセルの異常信号の検出が抑制される。しかも、振動が抑制されるのでロードセルの出力信号が安定するまでの待機時間が不要となって、計量時間の短縮化が図れる。
【０００９】
また、前記計量ホッパー固定手段は、エアシリンダのアクチュエータ先端に設けた緩衝用バネと、前記計量ホッパーの自己振動を防止する当て板とを備えているから、計量ホッパーの側壁を両側から挟持する際、緩衝用バネを使用して軽く挟持するので、計量精度に悪影響を及ぼすことがない。
【００１０】
【発明の実施の形態】
図１は本発明の一実施形態に係るホッパースケールの概略説明図であり、図２は計量ホッパー固定手段の概略斜視図である。図１及び図２において、ホッパースケール１は穀物２の貯留タンク３と、該貯留タンク３底部に設けた供給ゲート４と、床などの固定部５に支持された排出用タンク６と、該排出用タンク６内に設けた計量ホッパー７と、該計量ホッパー７底部に設けた排出ゲート８とにより主要部が構成される。前記計量ホッパーは、ロードセル１０，１０を介して排出用タンク６に固設した支持フレーム９，９によって載架されている。
【００１１】
前記固定部５に支持された排出用タンク６には、計量ホッパー７の側壁７ａ，７ｂを両側から挟持するため、少なくとも一対の計量ホッパー固定手段１１ａ，１１ｂが設けられる（図１参照）。また、この計量ホッパー固定手段１１ａ，１１ｂは左右の側壁７ａ，７ｂのほか、前後の側壁７ｃ，７ｄ（図２参照）を挟持してもよく、また、前後左右の側壁を挟持するために計量ホッパー固定手段１１を二対設けてもよい。計量ホッパー固定手段１１ａ，１１ｂは、伸縮可能なエアシリンダ１２ａ，１２ｂと、該エアシリンダ１２ａ，１２ｂのアクチュエータ先端に設けた緩衝用バネ１３ａ，１３ｂと、当て板１４ａ，１４ｂとから構成される。該当て板１４ａ，１４ｂの材質としては、防振ゴム、防振スポンジなど、計量ホッパ７の自己振動を減衰させる素材を適宜選択するとよい。符号１５は排出用タンク６のホッパー部であり、符号１６，１７は必要に応じて適宜設けられるコンベアである。
【００１２】
以下、上記構成における作用を説明する。コンベア１６から被計量物となる穀物２が貯留タンク３内に供給され、供給ゲート４を閉鎖した状態で計量ホッパー固定手段１１ａ，１１ｂが作動し、計量準備が完了する。すなわち、一対のエアシリンダ１２ａ，１２ｂが伸長して、計量ホッパー７の側壁７ａ，７ｂを両側から挟持することで計量ホッパー７が固定される。
【００１３】
計量ホッパー７の側壁７ａ，７ｂを挟持する際に計量ホッパー７を強固に挟持すると、ロードセル１０，１０への負荷が軽くなり、計量精度に悪影響を及ぼす。そこで、計量ホッパー７の自己振動（縦・横方向の振動）を抑制する程度に軽く挟持するよう、エアシリンダ１２ａ，１２ｂのアクチュエータ先端に緩衝用バネ１３ａ，１３ｂを使用するとよい。
【００１４】
計量準備が完了すると、次に、計量ホッパー７へ穀物２の供給を開始する。貯留タンク３の供給ゲート４を開くと計量ホッパー７へ穀物２が供給されるが、このとき、計量ホッパー７は固定されており、計量ホッパー７に生じる振動を抑えて、落下衝撃による異常信号の検出が抑制される。しかも、振動が抑制されるのでロードセル１０，１０の出力信号が安定するまでの待機時間が不要となって、計量時間の短縮化が図れる。
【００１５】
計量ホッパー７へ穀物２を供給し、ロードセル１０，１０から計量完了信号（三段階供給の場合は大供給完了信号）が出力されると、供給ゲート４（三段階供給の場合は大供給ゲート）が閉鎖されるとともに、計量ホッパー固定手段１１ａ，１１ｂの作動が解除される。そして、再度、ロードセル１０，１０により正確な計量が行われる。三段階供給の場合は、中供給完了信号が出力されると中供給ゲートが閉鎖され、小供給完了信号が出力されると小供給ゲートが閉鎖されて計量が完了する。
計量が完了すれば、計量ホッパー７の排出ゲート８が開口され、穀物２を排出用タンク６下部のホッパー部１５から排出して、袋詰めを行うか、又はコンベア１７による搬送が行われる。
【００１６】
以上のように、計量ホッパー７を固定する計量ホッパー固定手段１１ａ，１１ｂが設けられると、被計量物の落下衝撃による信号がロードセル１０，１０から検出されることがなく、また、振動が抑制されているのでロードセル１０，１０の出力信号が安定するまでの待機時間が不要となって、計量時間の短縮化が図れる。さらに、複雑な信号処理を行う制御手段が不要となり、ホッパースケール１の能力アップが期待できる。
【００１７】
【発明の効果】
以上のように本発明によれば、被計量物を貯留する貯留タンクと、該貯留タンク底部に設けて被計量物の払い出しを行う供給ゲートと、固定部に支持される排出用タンクと、該排出用タンク内に設けられ、前記供給ゲートから払い出された被計量物を受ける計量ホッパーと、該計量ホッパー底部に設けられ、計量物の払い出しを行う排出ゲートとを備えたホッパースケールであって、前記排出用タンク内には、前記計量ホッパーがロードセルに載架されるとともに、前記排出用タンク外側壁には、前記計量ホッパーの側壁を両側から挟持する計量ホッパー固定手段を設けたので、被計量物の落下衝撃による計量ホッパーに生じる振動を抑えて、ロードセルの異常信号の検出が抑制される。しかも、振動が抑制されるのでロードセルの出力信号が安定するまでの待機時間が不要となって、計量時間の短縮化が図れる。
【００１８】
また、計量ホッパー固定手段は、エアシリンダのアクチュエータ先端に設けた緩衝用バネと、前記計量ホッパーの自己振動を防止する当て板とを備えているから、計量ホッパーの側壁を両側から挟持する際に、緩衝用バネを使用して軽く挟持されるので、計量精度に悪影響を及ぼすことがない。
【図面の簡単な説明】
【図１】本発明の一実施形態に係るホッパースケールの概略説明図である。
【図２】計量ホッパー固定手段の概略斜視図である。
【図３】従来の計量ホッパーの振れを抑える構造の概略図である。
【符号の説明】
１  ホッパースケール
２  穀物
３  貯留タンク
４  供給ゲート
５  固定部
６  排出用タンク
７  計量ホッパー
８  排出ゲート
９  支持フレーム
１０  ロードセル
１１  計量ホッパー固定手段
１２  エアシリンダ
１３  緩衝用バネ
１４  当て板
１５  ホッパー部
１６  コンベア
１７  コンベア
【図１】
2004271350.tif 000003
【図２】
2004271350.tif 000004
【図３】
2004271350.tif 000005